(57)【要約】【課題】  本発明はスネークポンプの食材投入函からステーターケース、螺旋ローター、駆動回動軸及び駆動減速電動機の駆動軸を迅速簡便に分解組立し得るスネークポンプを得ることを目的とする。【解決手段】  機枠１に食材投入函２を設け、該投入函２の両側に、機枠１の前方に延長した平行案内杆３，３の間にステーターケース４を配置し、該ケース４を該平行案内杆３，３の間に支持し、上記案内杆３，３の延長前端部にそれぞれ形成した雄螺旋３’，３’にそれぞれ雌螺子７，７を螺合し、これらの雌螺子７，７と最前の上記フランジ５’との間にそれぞれカラー８，８を介在させ、該カラー８，８及び上記フランジ５，５’を介して上記ステーターケース４の後端を上記雌螺子７，７の回動により、上記投入函２の前壁２’に穿設したローター挿通孔９の外周直立面９’に圧接してなるスネークポンプ。【選択図】  図１
2011001826.tif 000002
【特許請求の範囲】
【請求項１】
機枠に食材投入函を設け、該投入函の両側に、
機枠の前方に延長した平行案内杆をそれぞれ摺動方向及び回動方向に固定して設け、
該平行案内杆の間にステーターケースを配置し、
該ケースの両側に突出した複数対のフランジにそれぞれ穿設した透孔を上記平行案内杆に摺動自在に嵌合して、上記ステーターケースを該平行案内杆の間に支持し、
上記案内杆の延長前端部にそれぞれ形成した雄螺旋にそれぞれ雌螺子を螺合し、
これらの雌螺子と最前の上記フランジとの間にそれぞれカラーを介在させ、
該カラー及び上記フランジを介して上記ステーターケースの後端を上記雌螺子の回動により、上記投入函の前壁に穿設したローター挿通孔の外周直立面に圧接してなるスネークポンプ。
【請求項２】
上記投入函の後壁に穿設した駆動回動軸挿通孔に円筒形軸受を接続し、
該軸受に支持される駆動回動軸と上記ローター挿通孔からステーターケース内に螺入した螺旋ローターとを上記投入函内において着脱自在に接続し、かつ上記駆動回動軸の後端を上記機枠に設けた駆動減速電動機の駆動軸に着脱自在に接続してなる請求項１記載のスネークポンプ。
【請求項３】
上記駆動回動軸の前部に拡径頭部を形成し、該頭部と上記駆動回動軸との境界段面を上記円筒形軸受の前端面に密接させてなる請求項２記載のスネークポンプ。
【請求項４】
上記筒形軸受の内周軸受面又は上記駆動回動軸の外周面に複数の減摩溝を形成してなる請求項２又は３記載のスネークポンプ。
【発明の詳細な説明】
【技術分野】
【０００１】
本発明は牛乳、粘性飲料、ミンチ肉、餡、味噌等の液状又は粘性或は可塑性食材等を輸送する分解組立形スネークポンプに関するものである。
【背景技術】
【０００２】
従来、スネークポンプにおける上記食材輸送後、これを分解及び組立てるに際し、ステーターケース、螺旋ローター、その駆動回動軸を食材投入函及び駆動減速電動機から分解又は組立てる作業は容易ではなく、労力と時間を要した（特許文献１、２）。
【０００３】
即ち、ステーターケースの後端フランジを食材投入函の前壁に複数のボルトで固定することが基本であって、それによってステーターケースを両側の胴体支持金具で両側の案内ガイドに固定したため、ステーターケースを案内ガイドから分離又は分解し難く、食材投入函との分解は容易ではなかったし、案内ガイドの先端にストッパ金具が設けてあるため、引掛ってステーターケースを案内ガイドから分離することは困難であった（特許文献１）。
【０００４】
又、ステーターケースに螺合させた螺旋ローターはジョイントを介して駆動軸に接続され、駆動軸の後端部と駆動原動機の駆動軸との分離及び接続を簡便に行い難いという問題があった。
【０００５】
さらに、食材投入函内の食材が上記駆動軸の軸受のボールベアリング内に進入し易く非衛生的であり、軸受の円滑な支持力を阻害した（特許文献１、２）。
【先行技術文献】
【特許文献】
【０００６】
【特許文献１】特開２００２−５０４０
【特許文献２】実開昭６１−８６５８６
【発明の概要】
【発明が解決しようとする課題】
【０００７】
本発明はスネークポンプの食材投入函からステーターケース、螺旋ローター、駆動回動軸及び駆動減速電動機の駆動軸を迅速簡便に分解組立し得るばかりでなく、上記食材投入函内における食材が駆動軸の軸受内に進入することを防止することを目的とする。
【課題を解決するための手段】
【０００８】
上記の目的を達成するため本発明は
第１に機枠に食材投入函を設け、該投入函の両側に、機枠の前方に延長した平行案内杆をそれぞれ摺動方向及び回動方向に固定して設け、該平行案内杆の間にステーターケースを配置し、該ケースの両側に突出した複数対のフランジにそれぞれ穿設した透孔を上記平行案内杆に摺動自在に嵌合して、上記ステーターケースを該平行案内杆の間に支持し、上記案内杆の延長前端部にそれぞれ形成した雄螺旋にそれぞれ雌螺子を螺合し、これらの雌螺子と最前の上記フランジとの間にそれぞれカラーを介在させ、該カラー及び上記フランジを介して上記ステーターケースの後端を上記雌螺子の回動により、上記投入函の前壁に穿設したローター挿通孔の外周直立面に圧接してなるスネークポンプ、
第２に上記投入函の後壁に穿設した駆動回動軸挿通孔に円筒形軸受を接続し、該軸受に支持される駆動回動軸と上記ローター挿通孔からステーターケース内に螺入した螺旋ローターとを上記投入函内において着脱自在に接続し、かつ上記駆動回動軸の後端を上記機枠に設けた駆動減速電動機の駆動軸に着脱自在に接続してなる上記第１発明記載のスネークポンプ、
第３に上記駆動回動軸の前部に拡径頭部を形成し、該頭部と上記駆動回動軸との境界段面を上記円筒形軸受の前端面に密接させてなる上記第２発明記載のスネークポンプ、
第４に上記筒形軸受の内周軸受面又は上記駆動回動軸の外周面に複数の減摩溝を形成してなる上記第２又は第３発明記載のスネークポンプ、
によって構成される。
【０００９】
従って、上記平行案内杆の延長先端部の雄螺旋に螺合している雌螺子を逆回動させて螺合を外し、該雌螺子を上記案内杆の延長先端部から分離させ、
その状態で駆動減速電動機を正転させると上記駆動回動軸及びこれに接続している螺旋ローターも正転する。
【００１０】
上記正転によってステーターケースは両側に突出した複数対の上記フランジに穿設した透孔が上記平行案内杆に沿って前方に摺動し、上記ローター及び該案内杆から前方に分離する。
【００１１】
その状態で、上記軸受に支持されている駆動回動軸と、駆動減速電動機の駆動軸との接続を分離させる。
【００１２】
そして、上記螺旋ローターを前方に手で牽引することによって上記ローターと駆動回動軸とを上記円筒形軸受及び上記投入函から前方に引抜いて外側に分離することができる。
【００１３】
分離後、該ローターと駆動回動軸との接続を分離することができる。
【００１４】
その後、上記手順の逆の動作を行うことによって元の状態に組立てて元のスネークポンプが得られる。
【００１５】
そして、上記投入函内に食材を投入し、駆動回動軸を上記電動機によって正転させると、投入食材は上記ローターとステーターケースとの前方移動空間内に入り、ステーターケースの前端の径小ノズルを経てステーターケースから機外に排出される。
【００１６】
その状態において、上記投入函内の食材は後向の反力によって上記円筒形軸受の前面と、上記駆動回動軸の拡径頭部に設けた境界段面とが密接し、食材が上記軸受と上記回動軸との間に進入するおそれはない。
【発明の効果】
【００１７】
本発明は上述のように構成したので、スネークポンプにおける食材投入函とステーターケースとの着脱が上記雌螺子の正逆回動及び上記ローターの正回動のみで容易に行い得るばかりでなく、上記ローター及び駆動回動軸は、駆動減速電動機の駆動軸との接続を分離し、かつ前方に手動で引抜く（牽引）のみで食材投入函の前方に一度に分離することができる。そして、上記分離動作の逆の動作によって元の状態に組立し得る。そして、上記投入函内の食材が後方の円筒形軸受内に進入するおそれがなく、従来用いられたオイルシール、ボールベアリング、及びスラストベアリング等に代り、上記円筒形軸受によって軸受を簡略化し得て、清潔に分解組立を行い得る効果がある。
【図面の簡単な説明】
【００１８】
【図１】（イ）図は本発明のスネークポンプを示す平面図、（ロ）図はステーターケース及びケースの両側に突出したフランジを左方から見た（イ）図Ａ−Ａ線による縦断側面図である。
【図２】図１（イ）図Ｂ−Ｂ線による縦断正面図である。
【図３】平行案内杆の前端の雄螺旋から雌螺子を分離し、螺旋ローターを正回動させて、ステーターケースを前端側に摺動させた状態の平面図である。
【図４】図３Ｂ’−Ｂ’線による縦断正面図である。
【図５】ステーターケース分離状態平面図である。
【図６】図５Ｂ”−Ｂ”線による縦断正面図である。
【図７】上記ステーターケース、上記ローター、駆動回動軸、駆動減速電動機及び駆動軸等の分解状態縦断正面図である。
【発明を実施するための形態】
【００１９】
床面１ａに長方形機枠１を前輪１ｂ及び後輪１ｃを介して支持し、該機枠１の前端部に食材投入函２を支持脚２ａ，２ａを介して支持し、後端部に駆動減速電動機１４を支持する。
【００２０】
上記食材投入函２は前後の直立壁（前壁２’及び後壁２”）、底板２ｂ及び左右両側壁２ｃ，２ｃよりなり、上端開口部に投入ホッパー２ｄを設け、底板２ｂには開閉蓋（図示していない）を備えた排出口２ｅを設け、上記前後壁２’，２”又は軸受取付用押え板２ａ”を上記左右両側壁２ｃ，２ｃの外側にそれぞれ突設２ｅ’，２ｅ”し、該突設部２ｅ’，２ｅ”の中程水準に穿設した透孔６，６に平行案内杆３，３の後端部３ａ’，３ａ’を挿通し、挿通部をボルト、ナット１５，１５’で摺動方向に固定し、かつ回動方向（上記案内杆３，３のそれぞれ中心線の回りの回動）に固定し、上記案内杆３，３の前端部を上記機枠１の前方に水平に延長３”，３”し、延長した該平行案内杆３，３の間にステーターケース４を配置する。
【００２１】
ステーター４’は円筒形ケース４”内に摺動方向に焼付固定して設けられ、弾性ゴムによる２条雌螺旋よりなり、ローター１３は鉄製の１条雄螺旋であって、上記ステーター４’とピッチ同一のスネーク形螺旋であって、上記投入函２の内部から前部直立壁（前壁２’）に形成したローター挿通孔９を経て上記ステーター４’の２条雌螺旋内に螺入する。
【００２２】
上記後部直立壁（後壁２”）には駆動回動軸１２の挿通孔１０を穿設し、該挿通孔１０の外側に超高分子による円筒形軸受１１を配置し、該軸受１１の前端に形成したフランジ１１’を、上記挿通孔１０の外周に接し、かつ該フランジ１１’の外面を上記後壁２”の外面に接する軸受取付用押え板２ａ”及びボルトｂ，ｂで押えて上記軸受１１を上記後壁２”に支持することができる。
【００２３】
上記軸受１１には駆動回動軸１２を嵌合支持し、該軸受１１の後端から駆動回動軸１２の後端部１２’を露出する。
【００２４】
そして、上記電動機１４の減速機１４’から前方に露出した駆動軸（正逆駆動軸）１４”の前端部と、上記駆動回動軸１２の露出後端部１２’とを共通軸線ａ上にカラー１５及び着脱ピン１６’，１６’によって共通軸線ａ上に着脱自在に接続する。
【００２５】
上記駆動回動軸１２の前部には拡径頭部１２”を形成し、該頭部１２”と上記駆動回動軸１２との境界に段面１２ａを形成し、該段面１２ａを上記軸受１１の前端面に密接させる。
【００２６】
上記頭部１２”及び上記ローター１３の基端部１３’にはそれぞれ対向方向に向う２股部１５’，１５’を形成し、該対向２股部１５’，１５’に接続軸１６の両端部を着脱自在に挿入し、それぞれ着脱ピン１７，１７を上記接続軸１６及び２股部１５’，１５’に着脱自在に挿通してローター１３の基端部１３’及び上記頭部１２”を接続軸１６及び着脱ピン１７，１７によって着脱及び回動自在に駆動回動軸１２と上記ローター１３とを上記投入函２内において接続することができる。
【００２７】
上記平行案内杆３，３の間に配置したステーターケース４の前端及び該前端に設けた先端径小ノズル４ａの基端及び上記ケース４の中程両側に４対の突出フランジ５，５，５’，５’を設け、突出部にそれぞれ透孔６，６を穿設し、該透孔６，６に上記平行案内杆３，３を挿通嵌合し、該案内杆３，３の間に上記ケース４を摺動自在に支持することができる。
【００２８】
その状態（図１（イ）図、図３）において、該案内杆３，３の延長前端部にそれぞれ雄螺旋３’，３’を形成し、該雄螺旋３’，３’に雌螺子７，７を螺合し、該雌螺子７，７と最前にある上記フランジ５’の両側突出部５”，５”との間にそれぞれカラー８，８を摺動自在に嵌合介在させる。
【００２９】
そして、該カラー８，８及び上記フランジ５’の両側突出部５”，５”を介して上記ステーターケース４の後端を、図１（イ）図及び図２に示すように上記投入函２の前壁２’に穿設したローター挿通孔９の外周直立面９’に（図２に示すように）接触させ、上記雌螺子７，７を回動推進させることにより、上記ケース４の後端を上記外周直立面９’に圧接支持することができる（図１（イ）図参照）。
【００３０】
又、上記雌螺子７，７を上記案内杆３，３の前端部雄螺旋３’，３’から分離し、上記ローター１３を正回動させることによって図３、図４に示すようにステーターケース４を前方に摺動させ、さらに図５、図６に示すように手動で上記ステーターケース４を案内杆３，３から分離することができるし、駆動回動軸１２の後端部１２’と上記駆動軸１４”とを着脱ピン１６’，１６’を取外すことによって分離し、その状態で図５に示すようにローター１３を矢印Ａ’方向に牽引することによって、該ローター１３、接続軸１６及び駆動回動軸１２を上記投入函２から１度に外側に引抜くことができる。
【００３１】
尚、図３中８’，８’は最後のフランジ５と前壁２’との間に配置した補助カラー、１８，１８’は上記円筒形軸受１１の内周軸受面又は上記駆動回動軸１２の外周面に形成した複数の減摩溝である。
【産業上の利用可能性】
【００３２】
本発明は上述のように構成したので、上記雌螺子７，７を上記案内杆３，３の前端から分離し、ローター１３を正回動させることによってステーターケース４を上記投入函２及び案内杆３，３から図３、図４、図５、図６に示すように容易に分離し、かつ上記駆動軸１４”と上記駆動回動軸１２とを分離し、その状態で上述のように上記ローター１３を前方に手動で牽引することによって上記ローター１３及び駆動回動軸１２を一度に投入函２の前方に引き抜いて分離することができるし、さらに図７に示すようにローター１３と駆動回動軸１２とを手動で分離させることができ、逆の動作によって図１（イ）図に示す状態に迅速に組み立てることができる。
【符号の説明】
【００３３】
１        機枠
２        食材投入函
２’      前壁
２”      後壁
３        平行案内杆
３’      雄螺旋
４        ステーターケース
５，５’  フランジ
６        透孔
７        雌螺子
８        カラー
９        ローター挿通孔
１０      駆動回動軸挿通孔
１１      円筒形軸受
１２      駆動回動軸
１３      螺旋ローター
１４”    駆動軸
【図１】
2011001826.tif 000003
【図２】
2011001826.tif 000004
【図３】
2011001826.tif 000005
【図４】
2011001826.tif 000006
【図５】
2011001826.tif 000007
【図６】
2011001826.tif 000008
【図７】
2011001826.tif 000009